(57)【要約】【課題】  この発明は、ＲＧＢＸ（ＸはＲＧＢ以外の任意の色）方式の自発光型ディスプレイを備えた表示装置において、最適な低消費電力化を実現することを目的とする。【解決手段】  ＲＧＢ−ＲＧＢＸ信号変換回路によって得られたデジタルのＲＧＢＸ入力信号に基づいて、１画面毎に、１画面単位の自発光型ディスプレイの消費電力積算値を算出する算出手段、および算出手段によって算出された１画面単位の自発光型ディスプレイの消費電力積算値に基づいて、Ｄ／Ａ変換器に供給されるリファレンス電圧を制御することにより、各ＲＧＢＸ入力信号の振幅を制御し、振幅制御後の各ＲＧＢＸ入力信号を自発光型ディスプレイに供給する制御手段を備えている。【選択図】  図２４
2006267149.tif 000002
【特許請求の範囲】
【請求項１】
ＸをＲＧＢ以外の任意の色として、デジタルのＲＧＢ入力信号をデジタルのＲＧＢＸ入力信号に変換するＲＧＢ−ＲＧＢＸ信号変換回路、ＲＧＢ−ＲＧＢＸ信号変換回路によって得られたデジタルのＲＧＢＸ入力信号をアナログのＲＧＢＸ出力信号に変換するＤ／Ａ変換器およびＤ／Ａ変換器によって得られたアナログのＲＧＢＸ出力信号が送られるＲＧＢＸ方式の自発光型ディスプレイを備えた表示装置において、
ＲＧＢ−ＲＧＢＸ信号変換回路によって得られたデジタルのＲＧＢＸ入力信号に基づいて、１画面毎に、１画面単位の自発光型ディスプレイの消費電力積算値を算出する算出手段、および
算出手段によって算出された１画面単位の自発光型ディスプレイの消費電力積算値に基づいて、Ｄ／Ａ変換器に供給されるリファレンス電圧を制御することにより、各ＲＧＢＸ入力信号の振幅を制御し、振幅制御後の各ＲＧＢＸ入力信号を自発光型ディスプレイに供給する制御手段、
を備えていることを特徴とする自発光型ディスプレイを備えた表示装置。
【請求項２】
算出手段は、ＲＧＢ−ＲＧＢＸ信号変換回路によって得られたデジタルのＲＧＢＸ入力信号毎に設けられ、ＲＧＢＸ入力信号それぞれにＲＧＢＸ単位画素の単色表示時の消費電流に応じた係数を１単位画素毎に乗算する複数の乗算手段、および１画面毎に、各乗算手段の乗算結果の１画面分の積算値の総和、または各乗算手段の乗算結果の１単位画素毎の総和の１画面分の積算値を、１画面単位の消費電力積算値として算出する消費電力積算手段を備えていることを特徴とする請求項１に記載の自発光型ディスプレイを備えた表示装置。
【請求項３】
制御手段は、算出手段によって算出された１画面単位の自発光型ディスプレイの消費電力積算値が大きいときに各ＲＧＢＸ入力信号の振幅が小さくなるように、Ｄ／Ａ変換器に供給されるリファレンス電圧を制御することを特徴とする請求項１および２のいずれかに記載の自発光型ディスプレイを備えた表示装置。
【請求項４】
Ｄ／Ａ変換器に供給されるリファレンス電圧には、各ＲＧＢＸ入力信号の黒レベルに対する発光輝度を規定するための黒側リファレンス電圧と各ＲＧＢＸ入力信号の白レベルに対する発光輝度を規定するための白側リファレンス電圧とがあり、制御手段は、白側リファレンス電圧を、算出手段によって算出された１画面単位の自発光型ディスプレイの消費電力積算値に基づいて制御することを特徴とする請求項１、２および３のいずれかに記載の自発光型ディスプレイを備えた表示装置。
【発明の詳細な説明】
【技術分野】
【０００１】
この発明は、有機ＥＬディスプレイ、無機ＥＬディスプレイ、プラズマディスプレイ等の自発光型ディスプレイを備えた表示装置に関し、特に、ＲＧＢＸ（ＸはＲＧＢ以外の任意の色）方式の自発光型ディスプレイを備えた表示装置に関する。
【背景技術】
【０００２】
有機ＥＬディスプレイ等の自発光型ディスプレイは、薄型、軽量、低消費電力などの特徴を有しており、用途が広がっている。ただし、携帯電話、デジタルスチルカメラなどの用途においては、更なる低消費電力化への要求が高い。
【０００３】
白発光材料にＲ，Ｇ，Ｂのカラーフィルタが張りつけられているＲＧＢ方式の有機ＥＬディスプレイが既に開発されている。ＲＧＢ方式の有機ＥＬディスプレイでは、ＲＧＢ単位画素毎に有機ＥＬ素子を含んでいる。ＲＧＢ方式の有機ＥＬディスプレイでは、カラーフィルタを光が通過する際に光の一部がカラーフィルタに吸収されるため、光利用効率が悪くなっている。この光利用効率の低さが消費電力の低下を妨げている。
【０００４】
そこで、本出願人は、１画素がＲＧＢＷの４つの単位画素から構成されており、ＲＧＢ単位画素には色フィルタが設けられ、Ｗ単位画素には色フィルタが設けられていないＲＧＢＷ方式の有機ＥＬディスプレイ（自発光型ディスプレイ）の信号処理回路であって、低消費電力化が図れる有機ＥＬディスプレイの信号処理回路を既に開発して出願している。ＲＧＢＷ方式の有機ＥＬディスプレイではＲＧＢＷ単位画素毎に有機ＥＬ素子を含んでいる。
【０００５】
本出願人が既に開発したＲＧＢＷ方式の自発光型ディスプレイの信号処理回路について説明する。本出願人が既に開発した自発光型ディスプレイの信号処理回路は、白発光材料にカラーフィルタが張りつけられている有機ＥＬディスプレイのような自発光型ディスプレイを対象としている。このように自発光型ディスプレイにおいて、図１に示すように、１画素を４つの単位画素で構成し、そのうちの３つの単位画素に３原色、たとえば、Ｒ（赤），Ｇ（緑），Ｂ（青）を表示するためのカラーフィルタを配置している。残りの１つの単位画素を、カラーフィルタを配置していない白（Ｗ）表示専用としている。
【０００６】
このようなＲＧＢＷ配列では、白表示専用の単位画素は、カラーフィルタが存在していないため、光の利用効率は非常に高い。したがって、例えば、白１００％を表示するときには、ＲＧＢ表示用の単位画素を発光させて白１００％を表示するのではなく、白表示専用の単位画素を発光させて白１００％を表示させれば、大幅な低消費電力化が図れる。
【０００７】
しかしながら、実際には、白発光材料によって得られる白の色度は、目標とする白の色度となっていない場合が多く、白表示専用の単位画素の白発光に対して、ＲＧＢ表示用の単位画素の発光を付加する必要がある。
【０００８】
そこで、白発光材料によって得られる白の色度が目標とする白の色度と異なる場合に、ＲＧＢ入力信号を、当該入力信号に対応する輝度および色度が同一でかつ低消費電力化が図れるＲＧＢＷ信号に変換するための信号処理の手法を開発した。
【０００９】
〔１〕表示装置の構成の説明
図２は、表示装置の構成を示している。
ＲＧＢ−ＲＧＢＷ信号変換回路１には、デジタルのＲＧＢ入力信号が入力される。ＲＧＢ−ＲＧＢＷ信号変換回路１は、ＲＧＢ入力信号をＲＧＢＷ信号に変換する。ＲＧＢ−ＲＧＢＷ信号変換回路１によって得られたＲＧＢＷ信号は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【００１０】
〔２〕ＲＧＢ−ＲＧＢＷ信号変換の基本的な考え方の説明
図３に示すような、ＲＧＢ入力信号を想定する。なお、説明の便宜上、ＲＧＢ入力信号には、予めガンマ補正がかけられていないものとする。また、ＲＧＢのみで目標の白の輝度および色度を実現するようなＲＧＢ輝度がＲＧＢの白側リファレンス輝度（Ｄ／Ａ変換回路２のＲＧＢに対する白側リファレンス電圧）として予め設定されているものとする。なお、Ｗの白側リファレンス輝度は、Ｗのみ表示したときに目標輝度（後述する図９のステップＳ４で決定されるＷの輝度）となるように調整される。
【００１１】
この例では、ＲＧＢ入力信号値は、８ビットで表され、Ｒ＝２００，Ｇ＝１００，Ｂ＝１７０であるとする。ＲＧＢ入力信号値の最小値は１００であるので、ＲＧＢ入力信号値を、図４に示すように、それらの最小値（ｍｉｎ（ＲＧＢ））と、図５に示すように、残りの値（入力信号−ｍｉｎ（ＲＧＢ））とに分解する。図４の場合、ＲＧＢ入力信号値が全て１００の場合の目標の白Ｗt （１００）と等価となっている。
【００１２】
ＲＧＢ入力信号値が全て２５５の場合の目標の白Ｗt （２５５）を表現するためのＲＧＢＷの信号値が図６に示すような信号値（７７，０，２０４，２５５）であるとすると、ＲＧＢ入力信号値が全て１００の場合の目標の白Ｗt （１００）を実現するためのＲＧＢＷの信号値は図７に示すようになる。
【００１３】
図６に示すような信号値については、目標白を実現するためのＲＧＢ輝度値およびＲＧＢＷ輝度値から求めることができる。ＲＧＢ入力信号値が全て２５５の場合の目標白を実現するためのＲＧＢＷ信号値を（Ｒ１，Ｇ１，Ｂ１，Ｗ１）とする。目標白の輝度および色度を実現するためのＲＧＢ輝度値を（ＬＲ１，ＬＧ１，ＬＢ１）、目標白の輝度および色度を実現するためのＲＧＢＷ輝度値を（ＬＲ２，ＬＧ２，ＬＢ２，ＬＷ２）とすると、ＲＧＢ入力信号値が全て２５５の場合の目標白を実現するためのＲＧＢＷ信号値は、（Ｒ１＝２５５×ＬＲ２／ＬＲ１，Ｇ１＝２５５×ＬＧ２／ＬＧ１，Ｂ１＝２５５×ＬＢ２／ＬＢ１，Ｗ１＝２５５）となる。特に、Ｗに関しては、ＲＧＢＷ表示系のみでしか定義できないので、一意に２５５となる。なお、目標白の輝度および色度を実現するためのＲＧＢ輝度値およびＲＧＢＷ輝度値の求め方については後述する。
【００１４】
図７のＲ，Ｇ，Ｂ，Ｗは、次式（１）によって求められる。
【００１５】
Ｒ＝７７×１００／２５５＝３０
Ｇ＝０×１００／２５５＝０
Ｂ＝２０４×１００／２５５＝８０
Ｗ＝２５５×１００／２５５＝１００        …（１）
【００１６】
そこで、図４のＲＧＢ値を、図７のＲＧＢＷ値と置き換える。したがって、図３に示すＲＧＢ値は、図５のＲＧＢ値と図７のＲＧＢＷ値とを加算することにより、図８に示すＲＧＢＷ値に変換される。
【００１７】
図８のＲ，Ｇ，Ｂ，Ｗは、次式（２）によって求められる。
【００１８】
Ｒ＝１００＋３０＝１３０
Ｇ＝０＋０＝０
Ｂ＝７０＋８０＝１５０
Ｗ＝０＋１００＝１００      …（２）
【００１９】
ＲＧＢの白側リファレンス輝度（目標白の輝度および色度を実現するためのＲＧＢ輝度値）、目標白の輝度および色度を表現するためのＲＧＢＷの輝度値、ならびにＲＧＢ入力信号値が全て２５５の場合の目標白を実現するためのＲＧＢＷ信号値は、予めパネル調整処理によって求められている。
【００２０】
〔３〕第１のＲＧＢ−ＲＧＢＷ信号変換処理についての説明
【００２１】
図９は、パネル調整処理手順を示している。
【００２２】
目標の白Ｗt の輝度ＬWtおよび色度座標（ｘWt，ｙWt  ）を設定する（ステップＳ１）。
【００２３】
次に、有機ＥＬディスプレイ３のＲＧＢＷの色度を測定する（ステップＳ２）。例えば、Ｒの色度を測定する場合には、有機ＥＬディスプレイ３のＲ表示用の単位画素のみを発光させて、その色度を光学測定器によって測定する。測定されたＲＧＢＷの色度座標を、それぞれ（ｘR ，ｙR ），（ｘG ，ｙG ），（ｘB ，ｙB ），（ｘW ，ｙW ）とする。
【００２４】
次に、ＲＧＢによるホワイトバランス（ＷＢ）調整時のＲＧＢの輝度値を算出する（ステップＳ３）。つまり、ＲＧＢの３色によって、目標の白Ｗt の輝度ＬWtおよび色度（ｘWt，ｙWt  ）を表現する際のＲＧＢの輝度値ＬR （上記ＬＲ１に相当する），ＬG （上記ＬＧ１に相当する），ＬB （上記ＬＢ１に相当する）を算出する。この輝度値ＬR ，ＬG ，ＬB は、次式（３）から求められる。
【００２５】
【数１】
2006267149.tif 000003
【００２６】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００２７】
次に、ＲＧＢＷによるホワイトバランス（ＷＢ）調整時のＲＧＢＷの輝度値を算出する（ステップＳ４）。つまり、ＲＧＢＷの４色によって、目標の白Ｗt の輝度ＬWtおよび色度（ｘWt，ｙWt  ）を表現する際のＲＧＢＷの輝度値ＬR （上記ＬＲ２に相当する），ＬG （上記ＬＧ２に相当する），ＬB （上記ＬＢ２に相当する），ＬW （上記ＬＷ２に相当する）を算出する。
【００２８】
ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とが、図１０に示すような関係にあるとすると、目標の白Ｗt の色度を、ＲＢＷの３色のみによって表現することが可能である。ＲＢＷの３色によって、目標の白Ｗt の輝度ＬWtおよび色度（ｘWt，ｙWt  ）を表現する際のＲＢＷの輝度値ＬR （上記ＬＲ２に相当），ＬB （上記ＬＢ２に相当），ＬW （上記ＬＷ２に相当）は、次式（４）から求められる。この場合、上記ＬＧ２に相当するＬG は０である。
【００２９】
【数２】
2006267149.tif 000004
【００３０】
ただし、ｚR ＝１−ｘR −ｙR 、ｚW ＝１−ｘW −ｙW 、ｚB ＝１−ｘB −ｙB 、ｚWt＝１−ｘWt−ｙWtである。
【００３１】
次に、上記ステップＳ３の算出結果を用いて、ＲＧＢＷの白側リファレンス輝度を算出する（ステップＳ５）。
【００３２】
ＲＧＢ入力信号値が８ビットで表される場合、ＲＧＢの白側リファレンス輝度は、ＲＧＢ信号として（２５５，２５５，２５５）を入力したときに、発光輝度および発光色が目標の白Ｗt の輝度ＬWtおよび色度（ｘWt，ｙWt  ）となるように調整される。つまり、ＲＧＢ信号として（２５５，２５５，２５５）を入力したときに、ＲＧＢの輝度がそれぞれ上記ステップＳ３で算出した輝度値ＬR ，ＬG ，ＬB となるように、ＲＧＢの白側リファレンス輝度が調整される。このようにＲＧＢの白側リファレンス輝度が調整されると、入力ＲＧＢ信号が同値の場合、発光色は必ず目標の白の色度となる。なお、Ｗの白側リファレンス輝度は、Ｗのみ表示したときに目標輝度（図９のステップＳ４で決定されたＷの輝度値ＬW ）となるように調整される。
【００３３】
なお、ＲＧＢ入力信号値が全て２５５の場合の目標白Ｗt （２５５）を実現するためのＲＧＢＷ信号値は、パネル調整処理のステップＳ３で算出された輝度値ＬR （上記ＬＲ１に相当する），ＬG （上記ＬＧ１に相当する），ＬB （上記ＬＢ１に相当する）と、上記ステップＳ４で算出された輝度値ＬR （上記ＬＲ２に相当する），ＬG （上記ＬＧ２に相当する），ＬB （上記ＬＢ２に相当する），ＬW （上記ＬＷ２に相当する）から予め算出される。
【００３４】
図１１は、ＲＧＢ入力信号をＲＧＢＷ信号に変換するための信号変換処理の手順を示している。
【００３５】
まず、ＲＧＢ入力信号中の最小値（ｍｉｎ（ＲＧＢ））を決定する（ステップＳ１１）。図３の例では、ｍｉｎ（ＲＧＢ）＝１００となる。
【００３６】
次に、各ＲＧＢ入力信号からｍｉｎ（ＲＧＢ）を減算する（ステップＳ１２）。図３の例では、図５に示すように、ＲＧＢに対する減算結果は、それぞれ１００，０，７０となる。
【００３７】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ１３）。目標の白Ｗt （２５５）を表現するためのＲＧＢＷの信号値が、図６で示すような信号値であるとすると、図３の例では、ｍｉｎ（ＲＧＢ）に対応するＲＧＢＷ信号の信号値は図７に示すようなる。
【００３８】
次に、上記ステップＳ１２で算出した減算値｛ＲＧＢ−ｍｉｎ（ＲＧＢ）｝に上記ステップＳ１３で求められたＲＧＢＷ信号の信号値を加算することにより、ＲＧＢ入力信号に対応するＲＧＢＷ信号を算出する（ステップＳ１４）。図３の例では、ＲＧＢ入力信号に対応するＲＧＢＷ信号は図８に示すようになる。
【００３９】
〔４〕第２のＲＧＢ−ＲＧＢＷ信号変換処理の説明
【００４０】
目標の白の色度をＲＢＷの３色のみによって表現することが可能な場合においてＲＧＢ入力信号の中の最小値がＧ信号である場合には、図１１のステップＳ１１〜ステップＳ１４の処理（ＲＧＢ−ＲＧＢＷ変換ルーチン）によって、ＲＧＢ信号の１つの信号（Ｇ信号）が０となるＲＧＢＷ信号が得られる。
【００４１】
同様に、目標の白の色度をＲＧＷの３色のみによって表現することが可能な場合においてＲＧＢ入力信号の中の最小値がＢ信号である場合にも、図１１のステップＳ１１〜ステップＳ１４の処理（ＲＧＢ−ＲＧＢＷ変換ルーチン）によって、ＲＧＢ信号の１つの信号（Ｂ信号）が０となるＲＧＢＷ信号が得られる。また、目標の白の色度をＧＢＷの３色のみによって表現することが可能な場合においてＲＧＢ入力信号の中の最小値がＲ信号である場合にも、図１１のステップＳ１１〜ステップＳ１４の処理（ＲＧＢ−ＲＧＢＷ変換ルーチン）によって、ＲＧＢ信号の１つの信号（Ｒ信号）が０となるＲＧＢＷ信号が得られる。
【００４２】
しかしながら、目標の白の色度をＲＢＷの３色のみによって表現することが可能な場合においてＲＧＢ入力信号の中の最小値がＧ信号以外の色の信号である場合、目標の白の色度をＲＧＷの３色のみによって表現することが可能な場合においてＲＧＢ入力信号の中の最小値がＢ信号以外の色の信号である場合、および目標の白の色度をＧＢＷの３色のみによって表現することが可能な場合においてＲＧＢ入力信号の中の最小値がＲ信号以外の色の信号である場合には、図１１のステップＳ１１〜ステップＳ１４の処理（ＲＧＢ−ＲＧＢＷ変換ルーチン）を１回行うだけでは、得られたＲＧＢＷ信号におけるＲＧＢ信号中の１つの信号が０とならない。
【００４３】
つまり、条件によっては、ＲＧＢ−ＲＧＢＷ変換ルーチンを１回行うだけでは、得られたＲＧＢＷ信号におけるＲＧＢ信号中の１つの信号が０とならない。
【００４４】
ＲＧＢＷ信号におけるＲＧＢ信号中の１つの信号が０となるように、ＲＧＢ入力信号をＲＧＢＷ信号に変換した方が、Ｗ信号の大きさが大きくなり、発光効率が高くなり、低消費電力化が図れる。
【００４５】
そこで、第２のＲＧＢ−ＲＧＢＷ信号変換処理では、条件にかかわらず、ＲＧＢ信号中の１つの信号が０となるようなＲＧＢＷ信号が得られる信号変換方法を提案する。
【００４６】
図１２は、ＲＧＢ入力信号をＲＧＢＷ信号に変換するための第２のＲＧＢ−ＲＧＢＷ信号変換処理の手順を示している。
【００４７】
ＲＧＢ入力信号値が全て２５５の場合の目標の白Ｗt （２５５）を表現するためのＲＧＢＷの信号値が図６で示すような信号値であるとする。
【００４８】
まず、ＲＧＢ入力信号中の最小値（ｍｉｎ（ＲＧＢ））を決定する（ステップＳ２１）。図１３に示すように、ＲＧＢ入力信号値が、Ｒ＝２００，Ｇ＝１７０，Ｂ＝１００であるとすると、図１５に示すように、ｍｉｎ（ＲＧＢ）＝１００となる。
【００４９】
次に、各ＲＧＢ入力信号からｍｉｎ（ＲＧＢ）を減算する（ステップＳ２２）。図１３の例では、図１４に示すように、ＲＧＢに対する減算結果は、それぞれ１００，７０，０となる。つまり、ＲＧＢ入力信号は、図１４のＲＧＢ信号値と、図１５のＲＧＢ信号値とに分解される。
【００５０】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ２３）。目標白Ｗt （２５５）を実現するためのＲＧＢＷ信号値が、図６で示すような信号値であるとすると、図１３の例では、ｍｉｎ（ＲＧＢ）に対応するＲＧＢＷ信号の信号値は図１６（図７と同じ）に示すようなる。
【００５１】
次に、上記ステップＳ２２で求められた減算値｛ＲＧＢ−ｍｉｎ（ＲＧＢ）｝に上記ステップＳ２３で求められたＲＧＢＷ信号の信号値を加算することにより、ＲＧＢ入力信号に対応するＲＧＢＷ信号を算出する（ステップＳ２４）。図１３の例では、ＲＧＢ入力信号に対応するＲＧＢＷ信号は図１７に示すようになる。
【００５２】
図１７のＲ，Ｇ，Ｂ，Ｗは、次式（５）によって求められる。
【００５３】
Ｒ＝１００＋３０＝１３０
Ｇ＝７０＋０＝７０
Ｂ＝０＋８０＝８０
Ｗ＝０＋１００＝１００      …（５）
【００５４】
次に、得られたＲＧＢＷ信号におけるＲＧＢ信号の最小値が０であるか否かを判別する（ステップＳ２５）。得られたＲＧＢＷ信号におけるＲＧＢ信号の最小値が０である場合には、信号変換処理を終了する。つまり、上記ステップＳ２４で得られたＲＧＢＷ信号がＲＧＢＷ出力信号となる。
【００５５】
得られたＲＧＢＷ信号におけるＲＧＢ信号の最小値が０でない場合には、得られたＲＧＢＷ信号を入力ＲＧＢＷ信号と見做して、上記ステップＳ２１〜Ｓ２４で行った処理（ＲＧＢ−ＲＧＢＷ変換ルーチン）と同様な処理を再度行う。
【００５６】
つまり、ＲＧＢＷ信号におけるＲＧＢ信号の最小値が０でない場合には、図１８に示すように、得られたＲＧＢＷ信号をＲ1 Ｇ1 Ｂ1 Ｗ1 入力信号とする。そして、Ｒ1 Ｇ1 Ｂ1 入力信号中の最小値（ｍｉｎ（Ｒ1 Ｇ1 Ｂ1 ））を決定する（ステップＳ２６）。図１８に示すように、Ｒ1 Ｇ1 Ｂ1 Ｗ1 入力信号が、Ｒ＝１３０，Ｇ＝７０，Ｂ＝８０，Ｗ＝１００であるとすると、図２０に示すように、ｍｉｎ（Ｒ1 Ｇ1 Ｂ1 ）＝７０となる。
【００５７】
次に、各Ｒ1 Ｇ1 Ｂ1 入力信号からｍｉｎ（Ｒ1 Ｇ1 Ｂ1 ）を減算する（ステップＳ２７）。図１８の例では、図１９に示すように、ＲＧＢに対する減算結果は、それぞれ６０、０、１０となる。つまり、Ｒ1 Ｇ1 Ｂ1 入力信号は、図１９のＲ1 Ｇ1 Ｂ1 信号値と、図２０のＲ1 Ｇ1 Ｂ1 信号値とに分解される。
【００５８】
次に、ｍｉｎ（Ｒ1 Ｇ1 Ｂ1 ）を、ＲＧＢ入力信号値が全て２５５の場合の目標の白Ｗt （２５５）を表現するためのＲＧＢＷの信号値を用いて、ＲＧＢＷ信号に変換する（ステップＳ２８）。目標白Ｗt （２５５）を実現するためのＲＧＢＷ信号値が、図６で示すような信号値であるとすると、図２０の例では、ｍｉｎ（Ｒ1 Ｇ1 Ｂ1 ）に対応するＲＧＢＷ信号の信号値は図２１に示すようなる。
【００５９】
図２１のＲ，Ｇ，Ｂ，Ｗは、次式（６）によって求められる。
【００６０】
Ｒ＝７７×７０／２５５＝２１
Ｇ＝０×７０／２５５＝０
Ｂ＝２０４×７０／２５５＝５６
Ｗ＝２５５×７０／２５５＝７０      …（６）
【００６１】
次に、上記ステップＳ２７で算出された減算値｛Ｒ1 Ｇ1 Ｂ1 −ｍｉｎ（Ｒ1 Ｇ1 Ｂ1 ）｝に上記ステップＳ２８で求められたＲＧＢＷ信号中のＲＧＢ信号値を加算することによりＲＧＢ信号を求めるとともに、Ｒ1 Ｇ1 Ｂ1 Ｗ1 入力信号中のＷ1 に上記ステップＳ２８で求められたＲＧＢＷ信号中のＷ信号値を加算することによりＷ信号を求める（ステップＳ２９）。このようにしてＲＧＢＷ信号が得られる。
【００６２】
上記の例では、ＲＧＢＷ信号は図２２に示すようになる。図２２のＲ，Ｇ，Ｂ，Ｗは、次式（７）によって求められる。
【００６３】
Ｒ＝６０＋２１＝８１
Ｇ＝０＋０＝０
Ｂ＝１０＋５６＝６６
Ｗ＝１００＋７０＝１７０      …（７）
【００６４】
次に、上記ステップＳ２９で求められたＲＧＢＷ信号におけるＲＧＢ信号の最小値が０であるか否かを判別する（ステップＳ３０）。得られたＲＧＢＷ信号におけるＲＧＢ信号の最小値が０である場合には、信号変換処理を終了する。
【００６５】
得られたＲＧＢＷ信号におけるＲＧＢ信号の最小値が０でない場合には、上記ステップＳ２６に戻る。つまり、得られたＲＧＢＷ信号におけるＲＧＢ信号の最小値が０となるまで、ＲＧＢ−ＲＧＢＷ変換ルーチンが繰り返し行われる。
〔５〕第３のＲＧＢ−ＲＧＢＷ信号変換処理の説明
【００６６】
上記第１のＲＧＢ−ＲＧＢＷ信号変換処理で説明したように、条件によっては、ｍｉｎ（ＲＧＢ）を減算することによって０にした信号が、その後のｍｉｎ（ＲＧＢ）からＲＧＢＷ信号への変換によって、１以上の値を持つことがある。このような場合には、上記第２のＲＧＢ−ＲＧＢＷ信号変換処理で説明したように、ＲＧＢ−ＲＧＢＷ変換ルーチンが繰り返し行われる。
【００６７】
第３のＲＧＢ−ＲＧＢＷ信号変換処理では、ＲＧＢ−ＲＧＢＷ変換ルーチンを１回実行することによって、条件にかかわらず、ＲＧＢ信号のうちの少なくとも１つが０となるＲＧＢＷ信号が得られる信号変換方法を提案する。
【００６８】
ＲＧＢ信号中の１つの信号に着目して、信号変換の過程について説明する。着目している信号を常にｍｉｎ（ＲＧＢ）として取り扱うようにし、またｍｉｎ（ＲＧＢ）のＲＧＢＷ信号への変換によって、当該信号に当該変換後のＷ信号の０．８割程度がフィードバックされてくると仮定すると、着目している信号は、たとえば、初期値を５０とすると、次式（８）に示すように、ＲＧＢ−ＲＧＢＷ変換ルーチンの実行回数に応じて変化する。
【００６９】
５０→４０→３２→２５．６→２０．５→１６．４→１３．１…→０    …（８）
【００７０】
この場合、Ｗ信号は、上記式（８）の全ての数値を加算した値となり、初項５０、公比０．８の無限等比級数の和として求めることができる。−１＜公比＜１の場合には、無限等比級数の和は、次式（９）のように簡略することができる。
【００７１】
無限等比級数の和＝初項／（１−公比）        …（９）
【００７２】
したがって、無限等比級数が上記式（８）で表される場合には、無限等比級数の和は、５０／（１−０．８）＝２５０となる。
【００７３】
実際の系では、ＲＧＢ信号毎に上記のような無限等比級数の和を算出し、そのうちの最小のものをｍｉｎ（ＲＧＢ）として、ＲＧＢ−ＲＧＢＷ変換ルーチンを１回実行する。この結果、得られたＲＧＢＷ信号におけるＲＧＢ信号のうちの１つが０となり、他の２つが０以上の値となる。
【００７４】
ＲＧＢ入力信号値が、Ｒ＝２５５，Ｇ＝２５５，Ｂ＝５０の場合を例にとって説明する。
【００７５】
ＲＧＢ入力信号値が全て２５５の場合の目標の白Ｗt （２５５）を表現するためのＲＧＢＷ信号の信号値が図６に示すような場合を想定すると、ｍｉｎ（ＲＧＢ）のＲＧＢＷ信号への変換による、ＲＧＢ信号のフィードバック率は０．３（＝図６のＲ／図６のＷ＝７７／２５５），０（＝図６のＧ／図６のＷ），０．８（＝図６のＢ／図６のＷ＝２０４／２５５）となる。
【００７６】
Ｒ，Ｇ，Ｂに対応する無限等比級数の和をΣＲ，ΣＧ，ΣＢとすると、ΣＲ，ΣＧ，ΣＢは、次式（１０）のようになる。
【００７７】
ΣＲ＝２５５／（１−０．３）＝３６４
ΣＧ＝２５５／（１−０）＝２５５
ΣＢ＝５０／（１−０．８）＝２５０      …（１０）
【００７８】
最小値は２５０となるので、２５０をＲＧＢ入力信号値から減算すると、その減算結果は、次式（１１）のようになる。
【００７９】
Ｒ＝２５５−２５０＝５
Ｇ＝２５５−２５０＝５
Ｂ＝５０−２５０＝−２００    …（１１）
【００８０】
一方、ｍｉｎ（ＲＧＢ）（＝２５０）をＲＧＢＷ信号に変換すると、次式（１２）のようになる。
【００８１】
Ｒ＝２５０×０．３＝７５
Ｇ＝２５５×０＝０
Ｂ＝５０×０．８＝２００
Ｗ＝２５０                    …（１２）
【００８２】
したがって、ＲＧＢＷ出力信号は、次式（１３）のようになる。
【００８３】
Ｒ＝５＋７５＝８０
Ｇ＝５＋０＝５
Ｂ＝−２００＋２００＝０
Ｗ＝２５０                    …（１３）
【００８４】
図２３は、ＲＧＢ入力信号をＲＧＢＷ信号に変換するための第３のＲＧＢ−ＲＧＢＷ信号変換処理の手順を示している。
【００８５】
ＲＧＢ入力信号値が全て２５５の場合の目標の白Ｗt （２５５）を表現するためのＲＧＢＷの信号値を用いて、ＲＧＢ信号のフィードバック率を算出する（ステップＳ４１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【００８６】
次に、ＲＧＢ入力信号毎に、ＲＧＢ入力信号値を初項とし、上記ステップＳ４１で算出したフィードバック率を公比とする無限等比級数の和ΣＲ，ΣＧ，ΣＢを算出する（ステップＳ４２）。
【００８７】
次に、ＲＧＢ入力信号毎に算出された無限等比級数の和ΣＲ，ΣＧ，ΣＢのうちの最小値を、ｍｉｎ（ＲＧＢ）として、ＲＧＢ入力信号から減算する（ステップＳ４３）。
【００８８】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ４４）。
【００８９】
次に、上記ステップＳ４３で求められた減算値｛ＲＧＢ−ｍｉｎ（ＲＧＢ）｝に上記ステップＳ４４で求められたＲＧＢＷ信号の信号値を加算することにより、ＲＧＢ入力信号に対応するＲＧＢＷ信号を求める（ステップＳ４５）。
【特許文献１】特開平１１−２９５７１７号公報
【特許文献２】特開２００３−２５５９０１号公報
【特許文献３】特開２００３−２８０５８９号公報
【発明の開示】
【発明が解決しようとする課題】
【００９０】
有機ＥＬディスプレイのような自発光型ディスプレイでは、画面全体が明るい画像では、発光素子（有機ＥＬ素子）に大きな電流が流れる。発光素子（有機ＥＬ素子）に大きな電流が流れると、消費電力が多くなる。また、発光素子（有機ＥＬ素子）に大きな電流が継続して流れると、その性能の劣化を早める。
【００９１】
そこで、ＲＧＢ方式の有機ＥＬディスプレイにおいて、１画面毎に入力映像信号の輝度積算値を算出し、算出した輝度積算値が大きほど入力映像信号の振幅が小さくなるように、入力映像信号の振幅を制御する方法が既に開発されている（特開２００３−２５５９０１号公報）。
【００９２】
また、ＲＧＢ方式の有機ＥＬディスプレイにおいて、１画面毎に、ＲＧＢそれぞれの入力信号積算値を算出し、ＲＧＢ毎の入力信号積算値に対応する発光素子の経時的劣化速度に比例した重み係数を乗算し、ＲＧＢ毎の乗算結果を加算することにより１画面単位のＲＧＢ加重加算値を算出し、得られたＲＧＢ加重加算値が大きほど入力映像信号の振幅が小さくなるように、入力映像信号の振幅を制御する方法が既に開発されている（特開２００３−２８０５８９号公報）。
【００９３】
ところで、ＲＧＢＷ方式の有機ＥＬディスプレイにおいては、Ｒ，Ｇ，Ｂ，Ｗそれぞれの発光素子の発光効率が大幅に異なるため、１画面単位のＲＧＢＷ入力信号それぞれの積算値の総和は、有機ＥＬディスプレイの消費電流と比例しないため、１画面単位のＲＧＢＷ入力信号それぞれの積算値の総和に基づいて入力映像信号の振幅を制御しても、最適な低消費電力化を実現できない。
【００９４】
この発明は、ＲＧＢＸ（ＸはＲＧＢ以外の任意の色）方式の自発光型ディスプレイを備えた表示装置において、最適な低消費電力化を実現することを目的とする。
【課題を解決するための手段】
【００９５】
請求項１に記載の発明は、ＸをＲＧＢ以外の任意の色として、デジタルのＲＧＢ入力信号をデジタルのＲＧＢＸ入力信号に変換するＲＧＢ−ＲＧＢＸ信号変換回路、ＲＧＢ−ＲＧＢＸ信号変換回路によって得られたデジタルのＲＧＢＸ入力信号をアナログのＲＧＢＸ出力信号に変換するＤ／Ａ変換器およびＤ／Ａ変換器によって得られたアナログのＲＧＢＸ出力信号が送られるＲＧＢＸ方式の自発光型ディスプレイを備えた表示装置において、ＲＧＢ−ＲＧＢＸ信号変換回路によって得られたデジタルのＲＧＢＸ入力信号に基づいて、１画面毎に、１画面単位の自発光型ディスプレイの消費電力積算値を算出する算出手段、および算出手段によって算出された１画面単位の自発光型ディスプレイの消費電力積算値に基づいて、Ｄ／Ａ変換器に供給されるリファレンス電圧を制御することにより、各ＲＧＢＸ入力信号の振幅を制御し、振幅制御後の各ＲＧＢＸ入力信号を自発光型ディスプレイに供給する制御手段を備えていることを特徴とする。
【００９６】
請求項２に記載の発明は、請求項１に記載の発明において、算出手段は、ＲＧＢ−ＲＧＢＸ信号変換回路によって得られたデジタルのＲＧＢＸ入力信号毎に設けられ、ＲＧＢＸ入力信号それぞれにＲＧＢＸ単位画素の単色表示時の消費電流に応じた係数を１単位画素毎に乗算する複数の乗算手段、および１画面毎に、各乗算手段の乗算結果の１画面分の積算値の総和、または各乗算手段の乗算結果の１単位画素毎の総和の１画面分の積算値を、１画面単位の消費電力積算値として算出する消費電力積算手段を備えていることを特徴とする。
【００９７】
請求項３に記載の発明は、請求項１乃至２に記載の発明において、制御手段は、算出手段によって算出された１画面単位の自発光型ディスプレイの消費電力積算値が大きいときに各ＲＧＢＸ入力信号の振幅が小さくなるように、Ｄ／Ａ変換器に供給されるリファレンス電圧を制御することを特徴とする。
【００９８】
請求項４に記載の発明は、請求項１乃至３に記載の発明において、Ｄ／Ａ変換器に供給されるリファレンス電圧には、各ＲＧＢＸ入力信号の黒レベルに対する発光輝度を規定するための黒側リファレンス電圧と各ＲＧＢＸ入力信号の白レベルに対する発光輝度を規定するための白側リファレンス電圧とがあり、制御手段は、白側リファレンス電圧を、算出手段によって算出された１画面単位の自発光型ディスプレイの消費電力積算値に基づいて制御することを特徴とする。
【発明の効果】
【００９９】
この発明によれば、ＲＧＢＸ（ＸはＲＧＢ以外の任意の色）方式の自発光型ディスプレイを備えた表示装置において、最適な低消費電力化を実現できる。
【発明を実施するための最良の形態】
【０１００】
以下、図面を参照して、この発明の実施例について説明する。
【実施例１】
【０１０１】
図２４は、ＲＧＢＷ方式の有機ＥＬディスプレイを備えた表示装置の構成を示している。
【０１０２】
表示装置は、デジタルのＲＧＢ入力信号Rin,Gin,Bin をデジタルのＲＧＢＷ入力信号R,G,B,W に変換するＲＧＢ−ＲＧＢＷ信号変換回路１、ＲＧＢ−ＲＧＢＷ信号変換回路１によって得られたデジタルのＲＧＢＷ入力信号R,G,B,W をアナログのＲＧＢＷ出力信号Rout,Gout,Bout,Wout に変換するＤＡＣ２と、ＤＡＣ２によって得られたアナログのＲＧＢＷ出力信号Rout,Gout,Bout,Wout が送られるＲＧＢＷ方式の有機ＥＬディスプレイ３と、ＤＡＣ２に設定されるリファレンス電圧を制御するためのリファレンス電圧制御回路４とを備えている。
【０１０３】
ＲＧＢ−ＲＧＢＷ信号変換回路１としては、例えば、図２３を用いて説明した第３のＲＧＢ−ＲＧＢＷ変換処理と同様な処理によってＲＧＢ信号をＲＧＢＷ信号に変換するものが用いられる。
【０１０４】
リファレンス電圧制御回路４には、ＲＧＢ−ＲＧＢＷ信号変換回路１から出力されるデジタルのＲＧＢＷ入力信号R,G,B,W が送られる。リファレンス電圧制御回路４は、ＲＧＢ−ＲＧＢＷ信号変換回路１から出力されるデジタルのＲＧＢＷ入力信号R,G,B,W に基づいて、ＤＡＣ２に設定されるリファレンス電圧を制御する。
【０１０５】
ＤＡＣ２に設定されるリファレンス電圧には、Ｒ，Ｇ，Ｂ，Ｗそれぞれについて、黒側リファレンス電圧R ＿RefB, G ＿RefB, B ＿RefB, W ＿RefB( これらを総称するときには RefB と記載する) と、白側リファレンス電圧R ＿RefW, G ＿RefW, B ＿RefW, W ＿RefW( これらを総称するときには RefW と記載する) とがある。
【０１０６】
黒側リファレンス電圧RefBとは、入力信号の黒レベルに対する発光輝度を規定するための基準電圧であり、この実施の形態では、固定されている。白側リファレンス電圧RefWとは、入力信号の白レベルに対する発光輝度を規定するための基準電圧であり、この実施の形態では、リファレンス電圧制御回路４によって制御される。
【０１０７】
ＤＡＣ２は、リファレンス電圧制御回路４から供給される黒側リファレンス電圧RefBと白側リファレンス電圧RefW' とによって規定される入出力特性に基づいて、デジタルのＲＧＢＷ入力信号R,G,B,W をアナログのＲＧＢＷ出力信号Rout,Gout,Bout,Wout に変換する。ＤＡＣ２によって得られるアナログのＲＧＢＷ出力信号Rout,Gout,Bout,Wout は、ＲＧＢＷ方式の有機ＥＬディスプレイ３に供給される。
【０１０８】
リファレンス電圧制御回路４は、ＲＧＢＷ入力信号R,G,B,W を消費電流値に変換する入力信号／消費電流変換回路１０、フレーム内消費電力積算回路１５、ゲイン算出回路１６、リファレンス電圧調整回路（Ref 電圧調整回路）１７および複数のＤＡＣ１８〜２５を備えている。
【０１０９】
入力信号／消費電流変換回路１０は、４つの乗算器１１〜１４を備えている。乗算器１１は、デジタル入力信号R に係数 KR を１単位画素毎に乗算する。乗算器１２は、デジタル入力信号G に係数 KG を１単位画素毎に乗算する。乗算器１３は、デジタル入力信号B に係数 KB を１単位画素毎に乗算する。乗算器１４は、デジタル入力信号W に係数 KW を１単位画素毎に乗算する。係数 KR ， KG ， KB ， KW は、ＲＧＢＷ単位画素の単色表示時の消費電流に応じた値に設定されている。
【０１１０】
係数 KR ， KG ， KB ， KW は、次のようにして予め求められている。ホワイトバランス調整後に、有機ＥＬディスプレイ３のＲＧＢＷ単位画素毎に、有機ＥＬディスプレイ３に単色表示を行う。単色表示を行うときには、入力階調を最大に設定する。そして、各色毎に、単色表示を行ったときの有機ＥＬディスプレイ３の消費電流を測定する。電流測定値が、例えば、表１に示すような値となったとする。
【０１１１】
【表１】
2006267149.tif 000005
【０１１２】
電流測定値の最大値を基準値として、各色毎に基準値に対する電流測定値の比率を算出し、得られた比率をその色に対応する係数とする。表１の例では、基準値は７０となる。したがって、Ｒに対応する係数 KR は６０／７０＝０．８６、Ｇに対応する係数 KG は、５５／７０＝０．７９、Ｂに対応する係数 KB は７０／７０＝１．００、Ｗに対応する係数 KW は５０／７０＝０．７１となる。
【０１１３】
フレーム内消費電力積算回路１５は、１フレーム毎に、各乗算器１１、１２、１３、１４の乗算結果の１フレーム分の積算値の総和、または各乗算器１１、１２、１３、１４の乗算結果の１単位画素毎の総和の１フレーム分の積算値を、１フレーム単位の消費電力積算値として算出する。ゲイン算出回路１６は、フレーム内消費電力積算回路１５から得られる１フレーム毎の消費電力積算値の大きさに応じて、白側リファレンス電圧RefWを制御するためのゲインGainを算出する。
【０１１４】
図２５は、ゲイン算出回路１６の入出力特性、つまり、１フレーム単位の消費電力積算値に対するゲインの特性の例を示している。この例では、１フレーム単位の消費電力積算値が０〜ａまではゲインは１．００となり、１フレーム単位の消費電力積算値がａを越えるとゲインは徐々に低下している。
【０１１５】
リファレンス電圧調整回路１７は、R,G,B,W 毎に予め設定された黒側リファレンス電圧( 以下、基準黒側リファレンス電圧という)R＿RefB, G ＿RefB, B ＿RefB, W ＿RefBと、R,G,B,W 毎に予め設定された白側リファレンス電圧( 以下、基準白側リファレンス電圧という)R＿RefW, G ＿RefW, B ＿RefW, W ＿RefWと、ゲイン算出回路１６によって算出されたゲインGainとに基づいて、R,G,B,W 毎の調整後の白側リファレンス電圧R ＿RefW', G＿RefW', B＿RefW', W＿RefW' を生成する。
【０１１６】
各基準黒側リファレンス電圧R ＿RefB, G ＿RefB, B ＿RefB, W ＿RefBおよび各基準白側リファレンス電圧R ＿RefW, G ＿RefW, B ＿RefW, W ＿RefWは、デジタル信号として与えられている。
【０１１７】
リファレンス電圧調整回路１７は、R,G,B,W それぞれに対するリファレンス電圧調整回路を含んでいるが、それぞれの構成は同じであるので、ここでは、R に対するリファレンス電圧調整回路について説明する。
【０１１８】
図２６は、R に対するリファレンス電圧調整回路を示している。
【０１１９】
このリファレンス電圧調整回路は、減算器３１、乗算器３２および減算器３３を備えている。
【０１２０】
減算器３１は、R に対する基準黒側リファレンス電圧R ＿RefBと、R に対する基準白側リファレンス電圧R ＿RefWとの差（R ＿RefB−R ＿RefW）を演算する。乗算器３２は、減算器３１の出力（R ＿RefB−R ＿RefW）にゲインGainを乗算する。減算器３３は、基準黒側リファレンス電圧R ＿RefBから乗算器３２の出力（ Gain ×（R ＿RefB−R ＿RefW）) を減算することにより、調整後の白側リファレンス電圧R ＿RefW' を算出する。
【０１２１】
ゲインGainが１．００である場合には、調整後の白側リファレンス電圧R ＿RefW' は、基準白側リファレンス電圧R ＿RefWと等しくなる。そして、ゲインGainが小さくなるほど、つまり、１フレーム単位の消費電力積算値が大きくなるほど、調整後の白側リファレンス電圧R ＿RefW' が大きくなり、基準黒側リファレンス電圧R ＿RefB側に近づく。つまり、１フレーム単位の消費電力積算値が大きくなるほど、入力信号の白レベルに対する有機ＥＬ素子の発光輝度（駆動電流）が低下する。
【０１２２】
各基準黒側リファレンス電圧R ＿RefB, G ＿RefB, B ＿RefB, W ＿RefBは、それぞれＤＡＣ１８、１９、２０，２１によってアナログ信号に変換されて、ＤＡＣ２に供給される。各調整後の白側リファレンス電圧R ＿RefW', G＿RefW', B＿RefW', W＿RefW' は、それぞれＤＡＣ２２、２３、２４、２５によってアナログ信号に変換されて、ＤＡＣ２に供給される。
【０１２３】
図２７は、ＤＡＣ２の入出力特性を示している。
【０１２４】
図２７において、RefW’１は、１フレーム単位の消費電力積算値が小さい場合にＤＡＣ２に供給される白側リファレンス電圧（＝基準白側リファレンス電圧RefW) を示している。RefW’３は、１フレーム単位の消費電力積算値が大きい場合にＤＡＣ２に供給される白側リファレンス電圧を示している。RefW’２は、１フレーム単位の消費電力積算値が中間値である場合にＤＡＣ２に供給される白側リファレンス電圧を示している。
【０１２５】
ＤＡＣ２に供給される白側リファレンス電圧がRefW’１である場合には、ＤＡＣ２の入出力特性は、直線Ｌ１で示される特性となる。この場合に、黒レベルから白レベルまで変化する入力信号をＤＡＣ２に周期的に入力すると、曲線Ｓ１に示すような出力波形が得られる。
【０１２６】
ＤＡＣ２に供給される白側リファレンス電圧がRefW’３である場合には、ＤＡＣ２の入出力特性は、直線Ｌ３で示される特性となる。この場合に、黒レベルから白レベルまで変化する入力信号をＤＡＣ２に周期的に入力すると、曲線Ｓ３に示すような出力波形が得られる。
【０１２７】
ＤＡＣ２に供給される白側リファレンス電圧がRefW’２である場合には、ＤＡＣ２の入出力特性は、直線Ｌ２で示される特性となる。この場合に、黒レベルから白レベルまで変化する入力信号をＤＡＣ２に周期的に入力すると、曲線Ｓ２に示すような出力波形が得られる。
【０１２８】
つまり、白側リファレンス電圧を１フレーム単位の消費電力積算値に応じて制御することにより、ＤＡＣ２の出力信号の振幅が制御されていることがわかる。
【０１２９】
なお、上記実施例では、ＲＧＢＷ方式の自発光型ディスプレイを備えた表示装置について説明したが、この発明は、ＲＧＢＸ（ＸはＲＧＢ以外の任意の色）方式の自発光型ディスプレイを備えた表示装置について適用することができる。
【図面の簡単な説明】
【０１３０】
【図１】１画素がＲ，Ｇ，Ｂ，Ｗの４つの単位で構成されている例を示す模式図である。
【図２】表示装置の構成を示すブロック図である。
【図３】ＲＧＢ入力信号の一例を示す模式図である。
【図４】ｍｉｎ（ＲＧＢ）を示す模式図である。
【図５】入力信号−ｍｉｎ（ＲＧＢ）を示す模式図である。
【図６】Ｗt （２５５）を表現するためのＲＧＢＷの信号比を示す模式図てある。
【図７】Ｗt （１００）を実現するためのＲＧＢＷの信号比を示す模式図てある。
【図８】図５のＲＧＢ値と図７のＲＧＢＷ値とを加算することにより、求められたＲＧＢＷ値を示す模式図である。
【図９】パネル調整処理手順を示すフローチャートである。
【図１０】ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とを示す模式図である。
【図１１】ＲＧＢ入力信号をＲＧＢＷ信号に変換するための信号変換処理の手順を示すフローチャートである。
【図１２】ＲＧＢ入力信号をＲＧＢＷ信号に変換するための信号変換処理の他の例を示すフローチャートである。
【図１３】ＲＧＢ入力信号の一例を示す模式図である。
【図１４】ＲＧＢ入力信号−ｍｉｎ（ＲＧＢ）を示す模式図である。
【図１５】ｍｉｎ（ＲＧＢ）を示す模式図である。
【図１６】ｍｉｎ（ＲＧＢ）に対応するＲＧＢＷ信号を示す模式図である。
【図１７】図１４のＲＧＢ値と図１６のＲＧＢＷ値とを加算することにより、求められたＲＧＢＷ値を示す模式図である。
【図１８】得られたＲＧＢＷ信号をＲ1 Ｇ1 Ｂ1 Ｗ1 入力信号とした場合の、Ｒ1 Ｇ1 Ｂ1 Ｗ1 入力信号を示す模式図である。
【図１９】Ｒ1 Ｇ1 Ｂ1 入力信号−ｍｉｎ（Ｒ1 Ｇ1 Ｂ1 ）を示す模式図である。
【図２０】ｍｉｎ（Ｒ1 Ｇ1 Ｂ1 ）を示す模式図である。
【図２１】ｍｉｎ（Ｒ1 Ｇ1 Ｂ1 ）に対応するＲＧＢＷ信号を示す模式図である。
【図２２】図１９のＲ1 Ｇ1 Ｂ1 値と図２１のＲ1 Ｇ1 Ｂ1 Ｗ1 値とを加算することにより、求められたＲＧＢＷ値を示す模式図である。
【図２３】ＲＧＢ入力信号をＲＧＢＷ信号に変換するための信号変換処理のさらに他の例を示すフローチャートである。
【図２４】ＲＧＢＷ方式の有機ＥＬディスプレイを備えた表示装置の構成を示すブロック図である。
【図２５】ゲイン算出回路１６の入出力特性を示すグラフである。
【図２６】R に対するリファレンス電圧調整回路を示す回路図である。
【図２７】ＤＡＣ２の入出力特性を示すグラフである。
【符号の説明】
【０１３１】
１  ＲＧＢ−ＲＧＢＷ信号変換回路
２  ＤＡＣ
３  有機ＥＬディスプレイ
４  リファレンス電圧制御回路
１０  入力信号／消費電流変換回路
１１〜１４  乗算器
１５  フレーム内消費電力積算回路
１６  ゲイン算出回路
１７  リファレンス電圧調整回路（Ref 電圧調整回路）
１８〜２５  ＤＡＣ
【図１】
2006267149.tif 000006
【図２】
2006267149.tif 000007
【図３】
2006267149.tif 000008
【図４】
2006267149.tif 000009
【図５】
2006267149.tif 000010
【図６】
2006267149.tif 000011
【図７】
2006267149.tif 000012
【図８】
2006267149.tif 000013
【図９】
2006267149.tif 000014
【図１０】
2006267149.tif 000015
【図１１】
2006267149.tif 000016
【図１２】
2006267149.tif 000017
【図１３】
2006267149.tif 000018
【図１４】
2006267149.tif 000019
【図１５】
2006267149.tif 000020
【図１６】
2006267149.tif 000021
【図１７】
2006267149.tif 000022
【図１８】
2006267149.tif 000023
【図１９】
2006267149.tif 000024
【図２０】
2006267149.tif 000025
【図２１】
2006267149.tif 000026
【図２２】
2006267149.tif 000027
【図２３】
2006267149.tif 000028
【図２４】
2006267149.tif 000029
【図２５】
2006267149.tif 000030
【図２６】
2006267149.tif 000031
【図２７】
2006267149.tif 000032